(57)【要約】【課題】消費電力を低減し、高輝度の照明ランプを提供する。【解決手段】ランプホルダー２と、ランプホルダー２の底面に設けられソケットに挿入および接続される導電プラグ２１と、ランプホルダー２の中に設けられ導電プラグ２１に電気的に接続される電源アダプター２２と、ランプホルダー２の底面に設けられ電源アダプター２２に接続される環状扇形の金属放熱器２９と、一端の周縁がランプホルダー２の上面の周縁と嵌め合わさるランプシェード２３と、ランプホルダー２の上面に取り付けられ電源アダプター２２に電気的に接続される少なくともひとつの格子状配列の発光ダイオード２４と、を備える。【選択図】図３
2009123641.tif 000002
【特許請求の範囲】
【請求項１】
ランプホルダーと、
前記ランプホルダーの底面に設けられ、コンセントに挿入および接続される導電プラグと、
前記ランプホルダーの中に設けられ、前記導電プラグに電気的に接続される電源アダプターと、
前記ランプホルダーの底面に設けられ、前記電源アダプターに接続される環状扇形の金属放熱器と、
一端の周縁が前記ランプホルダーの上面の周縁と嵌め合わさるランプシェードと、
前記ランプホルダーの上面に取り付けられ、前記電源アダプターに電気的に接続される少なくともひとつの格子状配列の発光ダイオードと、
を備えることを特徴とする照明ランプ。
【請求項２】
前記ランプホルダーの底面に、少なくとも一つの通風の対流口があり、前記通風の対流口は環状扇形の金属放熱器に向き合うことを特徴とする請求項１に記載の照明ランプ。
【請求項３】
前記格子状配列の発光ダイオードは、外殻と、前記外殻の底面に設けられそれぞれ数個のチップを配置する基板と、前記外殻の上面に設けられ蛍光物質が塗布された光の透射板と、を有することを特徴とする請求項２に記載の照明ランプ。
【請求項４】
支持フレームを備え、前記支持フレームの一端を前記ランプホルダーの上面に設け、もう一端を前記ランプシェードの上面の隣接箇所へ延伸することを特徴とする請求項３に記載の照明ランプ。
【請求項５】
前記格子状配列の発光ダイオードは矩形であって、前記支持フレームの表面に取り付けられることを特徴とする請求項４に記載の照明ランプ。
【請求項６】
前記格子状配列の発光ダイオードは正方形であって、前記支持フレームの表面に取り付けられることを特徴とする請求項３に記載の照明ランプ。
【請求項７】
前記ランプホルダーは、締め付け板と、前記締め付け板と前記ランプホルダーとに向き合う一面に設けられそれぞれ前記格子状配列の発光ダイオードおよび前記電源アダプターに電気的に接続される接続ランプホルダーと、を有することを特徴とする請求項５又は請求項６に記載の照明ランプ。
【請求項８】
前記電源アダプターと前記導電プラグとの電気的に接続する一側は交流電源の入力端であり、前記電源アダプターと前記接続ランプホルダーとの電気的に接続する一側は直流電源の出力端であることを特徴とする請求項７に記載の照明ランプ。
【請求項９】
前記ランプホルダーの上面周縁にフランジを有し、前記フランジは前記ランプシェードの一端の周縁と相互に嵌め合わさることを特徴とする請求項８に記載の照明ランプ。
【請求項１０】
前記直流電源の出力端の出力電圧は１２．５Ｖから１３．５Ｖまでの間であることを特徴とする請求項８に記載の照明ランプ。
【発明の詳細な説明】
【技術分野】
【０００１】
本発明は照明ランプに関し、特に、低消費電力、高輝度のランプであって、ランプホルダーを設け、ランプホルダーに少なくとも一つの格子状配列の発光ダイオードを取り付け、損失を低減し、環境保護の概念に合うばかりでなく、照明の輝度および範囲も大幅に向上される照明ランプに関する。
【背景技術】
【０００２】
科学技術は日に日に進歩してゆく。人々の生活の質に対する要求は絶えず高まっているので、様々な業者は常に工夫して新しい製品を研究、開発している。そのような趨勢はハイテクノロジー-製品の範疇に限らず、人間の生活との関係を持つ商品も、消費者の利便性、実用性、外観など多方面の要求に伴って、絶えず改良されている。また、現代人の環境保護意識も高まっているため、消費者が製品の外観、機能などのニーズを考える以外に、製品が環境保護又は省エネルギーの概念に合うかどうかも製品の選択時に決定の要因となる。ゆえに、製造業者は製品の設計を行うときに、大きなコストを注入し、消費者が満足する商品を作るために、研究開発を進めている。
【０００３】
一般的に、照明マーケットによくみられる製品は従来の蛍光ランプである。前述の環境保護意識の趨勢の下、従来の蛍光ランプの高汚染性を改善するために、製造業者は省エネルギーランプを推奨した。図１に示すように、省エネルギーランプは殻体１０、コネクター１１、ランプ１２などを備える。コネクター１１は殻体１０の底端に設けられ、ソケットに挿入接続され、例えば、省エネルギーランプを天井又は壁など固定位置に取り付けるばかりではなく、コンセントの電源を省エネルギーランプにも供給する。ランプ１２は殻体１０の上面に配置される。ランプ１２の両端は殻体１０に設置される。ランプ１２の両端の間の部分は曲がりくねるように、殻体１０の上面に旋回し、ランプ１２は光を放射し、照明を提供する。
【発明の開示】
【発明が解決しようとする課題】
【０００４】
ところが、このような省エネルギーランプは一部において従来の蛍光灯の高汚染性を改善するのみであり、次の欠陥がある。
（１）省エネルギーランプのランプ１２の内側発光面は、向き合う反対側のランプ１２に遮蔽されるせいで、ランプ１２の有効光のフラックス（flux）利用レートが３０％に低減される。
（２）ランプ１２の両端の曲がりくねるように旋回する部分の配列が緊密過ぎるため、ランプ１２の放熱効率が低下する。
【０００５】
（３）ランプ１２の温度が上昇しランプ１２の光出力を下げるので、光効率の低下を招く。
（４）ランプ１２の形状が特殊であるため、梱包の際、大きな包装の使用を考えなければならない。また、運送時のランプ１２の衝撃損壊を避けるため、優れた緩衝性の包装が必要となり、包装の難度およびコストが増加する。
したがって、省エネルギーおよび環境保護の趨勢で、いかに高輝度および省エネルギー効果の高い照明製品を設計するかということは、現今、各製造業者の直面しなければならない大切な課題である。
【０００６】
本発明の主な目的は、以上のような省エネルギーランプの欠陥を解決するために、低消費電力、高輝度の照明ランプを提供することにある。本発明の照明ランプは、消費電力を低減し、環境保護の概念に合うばかりでなく、照明の輝度および範囲も大幅に向上させる。
【課題を解決するための手段】
【０００７】
上記目的を達成するため、本発明に係る照明ランプは、ランプホルダーを備える。
ランプホルダーは、その底面に導電のプラグを備え、導電のプラグはソケットに挿入、接続される。
ランプホルダーの中に、電源アダプター（Universal 90-260V,AC to 13V DC）を備える。電源アダプターは電気的に、導電のプラグに接続される。
ランプホルダーの上面に、ランプシェードを備える。ランプシェードはランプホルダーの上面の周縁に締め付けられる。
【０００８】
ランプホルダーの中に、環状扇形の金属放熱器を備える。環状扇形の金属放熱器は電源アダプターに接続され、放熱の目的を達成する。
照明ランプの上面に、少なくとも一つの格子状配列の発光ダイオードを備える。格子状配列の発光ダイオードは電気的に、電源アダプターに接続され、高輝度な光を放射する。その結果、本発明に係る照明ランプは、高輝度、省エネルギーなどの利点を備える。
【発明を実施するための最良の形態】
【０００９】
以下、図面に基づいて本発明の実施形態を説明する。
（第１実施形態）
本発明の第１実施形態による照明ランプを図２および図３に示す。本発明の第１実施形態による照明ランプは、ランプホルダー２、導電プラグ２１、電源アダプター２２、ランプシェード２３、環状扇形の金属放熱器２９、少なくとも一つの格子状配列の発光ダイオード２４などの要素からなる。
【００１０】
導電プラグ２１は、ランプホルダー２の底面に設けられて、ソケットに挿入、接続される。そして、照明ランプは天井又は壁など固定の位置に取り付けられ、しかも、コンセントの交流電源を照明ランプに供給可能である。
電源アダプター２２（Universal 90-260V,AC to13V DC）は、ランプホルダー２の中に設けられ、電気的に導電プラグ２１に接続され、コンセントからの交流電源を直流へ変換し、かつ、直流電源の電圧、電力を格子状配列の発光ダイオード２４の規格に合わせる。
【００１１】
ランプシェード２３は、一端の周縁がランプホルダー２の上面周縁に締め付けられ、材質は光が透過又は半分透過できるプラスチック（例えばアクリル）を採用する。
環状扇形の金属放熱器２９は、ランプホルダー２の中に配置され、電源アダプター２２に接続される。
格子状配列の発光ダイオード２４はランプホルダー２の上面に締め付けられ、かつ、電気的に電源アダプター２２に接続される。
【００１２】
環状扇形の金属放熱器２９を経由して、格子状配列の発光ダイオード２４から出る熱が放散されるので、格子状配列されていない発光ダイオードと比較すると、優れた放熱効果を有し、格子状配列されていない発光ダイオードのように局部発熱による光の減衰が起こらず、ランプが点かないという現象が起こるのを避ける。
環状扇形の金属放熱器２９に向き合うランプホルダー２の底部に、少なくとも一つの通風の対流口２９１を設ける。これにより、放熱の目的を十分に果たす。
格子状配列の発光ダイオード２４から出てくる光がランプシェード２３を経由し、透過、放射される。
【００１３】
格子状配列の発光ダイオード２４は、長寿命、低消費電力、耐用、耐震、丈夫、量産適合、小さい体積、速い反応などの特徴があるので、照明ランプは高輝度および環境保護概念の要求を同時に満足し、従来の照明製品の招く欠点を大幅に改善する。なお、環状扇形の金属放熱器２９は、電源アダプター２２の放熱に寄与するとともに、格子状配列の発光ダイオード２４が点灯しているときの温度も大幅に低下させる。本発明の第１実施形態によると、一定の電圧において電流を加え、格子状配列されていない発光ダイオードと比較すると、発光電力が約３０％増加し、照明効果を向上させる。
【００１４】
本発明の第１実施形態において、ランプの形状以外に、蛍光灯の形状としてもよい。図２および図３に示すように、照明装置は支持フレーム２５を設け、支持フレーム２５に格子状配列の発光ダイオード２４を取り付ける。支持フレーム２５の一端はランプホルダー２の上面に配置され、もう一端はランプシェード２３の上面に隣接する箇所まで延伸される。支持フレーム２５の断面は三角形になる。三つの格子状配列の発光ダイオード２４を支持フレーム２５の三つの側面に取り付けてもよい。これにより、光源の輝度および照射の範囲を大幅に向上させる。なお、支持フレーム２５は格子状配列の発光ダイオード２４を取り付けるばかりでなく、格子状配列の発光ダイオード２４の放熱効果も有する。
【００１５】
格子状配列の発光ダイオード２４は、図２、図３および図５に示すように、外殻２４１、基板２４２、光の透射板２４４などの要素から形成される。基板２４２は外殻２４１の底面に設けられる。基板２４２は、それぞれ多数のチップ２４３を有する。それらチップ２４３は青色光又は紫外線を放射できる。光の透射板２４４は外殻２４１の上面に設置される。また、光の透射板２４４は蛍光物質が塗布される。これにより、チップ２４３が青色光又は紫外線を放射すると、光の透射板２４４における蛍光物質を励起することできるので、格子状配列の発光ダイオード２４は極めて明るい光を生じる。
【００１６】
さらに、格子状配列の発光ダイオード２４は格子状配列されていない発光ダイオードと比べると、優れた放熱効果を有するので、本実施形態によれば、一定の電圧において、電流を加え、格子状配列されていない発光ダイオードと比較すると、発光電力が３０％から５０％増加する。そして、低消費電力の状態で、高輝度の光が放射されると同時に、照明と環境保護概念とのニーズを満足する。
【００１７】
図３に示すように、ランプホルダー２の上面に、締め付け板２６を設ける。締め付け板２６において、ランプシェード２３に向き合う一面は、支持フレーム２５を設置し、かつ、直接、格子状配列の発光ダイオード２４を取り付ける。ランプホルダー２において、締め付け板２６とランプホルダー２とに向き合う一面に、接続ランプホルダー２７を設ける。接続ランプホルダー２７はそれぞれ、格子状配列の発光ダイオード２４および電源アダプター２２と、電気的に接続される。これにより、直流電源を格子状配列の発光ダイオード２４へ伝送する。
【００１８】
図３に示すように、電源アダプター２２および導電プラグ２１を電気的に接続する一側は、交流電源の入力端である。電源アダプター２２と接続ランプホルダー２７との電気的に接続する一側は、直流電源の出力端である。直流電源の出力端の出力電圧は１２．５Ｖから１３．５Ｖである。発光効率は一般的に、８０ｌｕｍｅｎ／ｗ以上に至る。出力電力は一つの格子状配列の発光ダイオード２４を用いる場合、３Ｗになり、三つの格子状配列の発光ダイオード２４を用いる場合、９Ｗになる。
【００１９】
環状扇形の金属放熱器２９および通風の対流口２９１は照明ランプの放熱を手伝うので、一定の電圧で、電流を加えると、発光電力は約３０％増加する。また、ランプホルダー２の上面周縁には、フランジ２８が設けられる。そのフランジ２８を経由して、ランプシェード２３の一端の周縁と相互に嵌め合うと、ランプシェード２３をランプホルダー２に締め付けられる。
【００２０】
（第２実施形態）
本発明の第２実施形態による照明ランプを図４に示す。格子状配列の発光ダイオード２４は正方形であり、ランプホルダー２の上面に締め付けられる。ランプシェード２３は円形である。このような形状により、照明ランプの体積は縮小され、しかも、照明ランプを天井に取り付ける場合に、すべての方向へ光を放射することができる。
【００２１】
（発明の効果）
このように、本発明の照明ランプは、高輝度の光源を提供するばかりでなく、低消費電力、耐震、小さい体積、速い反応などの特性を有し、現今の環境保護概念の要求にも合致する。また、従来の省エネルギーランプにおける有効フラックスの低下、放熱効率の低減、光効率の降下などの欠陥もない。また、ランプシェードの保護により、包装しやすく、運送しやすく、衝撃、損壊の恐れも避けることができる。
【００２２】
以上は、本発明の好ましい実施形態のみを示したものである。本発明の構造特徴には、なんら制限はなく、本発明の技術思想において、その技術の習熟者がいずれの局部の変更、修飾をしても、皆、本発明の特許請求の範囲に含まれる。
【図面の簡単な説明】
【００２３】
【図１】従来のランプを示す斜視図である。
【図２】本発明の第１実施形態による照明ランプを示す斜視図である。
【図３】本発明の第１実施形態による照明ランプを示す斜視図である。
【図４】本発明の第２実施形態による照明ランプを示す斜視図である。
【図５】本発明の第１実施形態による照明ランプの格子状配列の発光ダイオードの断面を示す模式図である。
【符号の説明】
【００２４】
２：ランプホルダー、２１：導電プラグ、２２：電源アダプター、２３：ランプシェード、２４：格子状配列の発光ダイオード、２４１：外殻、２４２：基板、２４３：チップ、２４４：光の透射板、２５：支持フレーム、２６：締め付け板、２７：接続ランプホルダー、２８：フランジ、２９：環状扇形の金属放熱器、２９１：通風の対流口
【図１】
2009123641.tif 000003
【図２】
2009123641.tif 000004
【図３】
2009123641.tif 000005
【図４】
2009123641.tif 000006
【図５】
2009123641.tif 000007